(57)【要約】【課題】ゴム紐の上から装着でき、優れた安定性及び装飾性を有する髪留め補助具を提供することを目的とする。【解決手段】毛髪を束ねた紐の上から装着する髪留め補助具１０であって、紐を覆って保持する一対の本体部１１（１１Ａ，１１Ｂ）と、一対の本体部の一端を連結するヒンジ部１２を備え、一対の本体部には、櫛状部１３（１３Ａ，１３Ｂ）が設けられていることを特徴とする髪留め補助具１０である。【選択図】図１
0003222149.tif 000002
【実用新案登録請求の範囲】
【請求項１】
毛髪を束ねた紐の上から装着する髪留め補助具であって、
前記紐を覆って保持する一対の本体部と、
前記一対の本体部の一端を連結するヒンジ部を備え、
前記一対の本体部には、櫛状部が設けられていることを特徴とする髪留め補助具。
【請求項２】
前記本体部の側面にはキャスト成形による装飾が施されていることを特徴とする請求項１に記載の髪留め補助具。
【請求項３】
前記櫛状部は前記一対の本体部にそれぞれ２〜５本ずつ設けられていることを特徴とする請求項１又は請求項２に記載の髪留め補助具。
【請求項４】
円環状に形成されていることを特徴とする請求項１乃至請求項３のいずれか１項に記載の髪留め補助具。
【考案の詳細な説明】
【技術分野】
【０００１】
本考案は、髪の毛をゴム紐等で束ねた上から装着する髪留め補助具に関する。
【背景技術】
【０００２】
通常、毛髪を頭の両サイドや後ろで束ねる際には、ゴム紐などを用いて髪の毛を結ぶことにより毛髪を束ねている。
【０００３】
例えば、特許文献１には、繊維を組紐状に編成してなる組紐カバーで芯ゴムを被覆してなる芯ゴム入り組紐の両端部を相互に接続してなる装飾ゴムバンドが記載されている。
【０００４】
また、特許文献２には、髪を束ねるための環状のゴム紐と、使用時に環状を成し、前記ゴム紐で束ねた髪の部位を全周に亘って覆う装飾体を備える髪止め具であって、前記装飾体が、可撓性を有する材料から帯状に形成されて、前記ゴム紐が前記装飾体の使用時の内周面側に固定され、前記装飾体の長手方向の両端部に、一対の磁石が、相互に磁力吸着可能に、使用時に外側から視認できない態様で設けられることを特徴とする髪止め具が記載されている。
【先行技術文献】
【特許文献】
【０００５】
【特許文献１】特開２００２−１７７０４２号公報
【特許文献２】実用新案登録第３２０９３５４号公報
【考案の概要】
【考案が解決しようとする課題】
【０００６】
しかしながら、特許文献２のように、ゴム紐自体に装飾パーツやカバーパーツが接続固定されていると、毛髪を束ねる際に髪の毛が引っ掛かって束ねにくかったり、毛髪をきつく束ねることが困難な場合があった。また、ゴム紐のみで髪の毛を束ねている場合、ファッションという観点から装飾性に欠けるという課題もあった。
【０００７】
そこで、本考案は、上記課題に鑑みてなされたものであり、ゴム紐の上から装着でき、優れた安定性及び装飾性を有する髪留め補助具を提供することを目的とする。
【課題を解決するための手段】
【０００８】
本考案の一態様は、毛髪を束ねた紐の上から装着する髪留め補助具であって、紐を覆って保持する一対の本体部と、一対の本体部の一端を連結するヒンジ部を備え、一対の本体部には、櫛状部が設けられていることを特徴とする髪留め補助具である。
【０００９】
本考案の一態様によれば、一対の本体部で紐（ゴム紐等）ごと毛髪を覆い、かつ、本体部に設けられた櫛状部を毛髪に通して係止することにより、ゴム紐の上から装着可能であるとともに、優れた安定性を有する髪留め補助具とすることができる。
【００１０】
このとき、本考案の一態様では、本体部の側面にはキャスト成形による装飾が施されているようにしてもよい。
【００１１】
本体部の側面に装飾を施すことにより、実用性とともに装飾性にも優れた髪留め補助具とすることができる。
【００１２】
また、本考案の一態様では、櫛状部は一対の本体部にそれぞれ２〜５本ずつ設けられているようにしてもよい。
【００１３】
このように、２〜５本の櫛状部を髪の毛の間に通して係止することにより、ゴム紐の上に装着した場合に、安定して髪留め補助具を保持することができる。
【００１４】
また、本考案の一態様では、髪留め補助具を円環状に形成してもよい。
【００１５】
円環状の形状とすることで、束ねた髪やゴム紐の上にフィットしやすくなる。
【考案の効果】
【００１６】
以上説明したように本考案によれば、ゴム紐の上から装着でき、優れた安定性及び装飾性を有する髪留め補助具を提供できる。
【図面の簡単な説明】
【００１７】
【図１】本考案の一実施形態に係る髪留め補助具を示した斜視図である。
【図２】本考案の一実施形態に係る髪留め補助具の使用状況を説明するための一部断面図である。
【考案を実施するための形態】
【００１８】
以下、本考案の好適な実施の形態について詳細に説明する。なお、以下に説明する本実施形態は、実用新案登録請求の範囲に記載された本考案の内容を不当に限定するものではなく、本実施形態で説明される構成の全てが本考案の解決手段として必須であるとは限らない。
【００１９】
図１に、本考案の一実施形態に係る髪留め補助具を示した斜視図を示す。本考案の一態様は、毛髪を束ねた紐の上から装着する髪留め補助具であって、紐を覆って保持する一対の本体部１１（１１Ａ，１１Ｂ）と、一対の本体部の一端を連結するヒンジ部１２を備え、一対の本体部には、それぞれ櫛状部１３（１３Ａ，１３Ｂ）が設けられていることを特徴とする髪留め補助具１０である。以下、髪留め補助具１０の各構成について説明する。
【００２０】
本体部１１は、毛髪を束ねた紐（ゴム紐等）の上から紐を囲んで保持するように一対の部材１１Ａ，１１Ｂから構成される。本体部１１の材質は特に限定はされないが、例えば、亜鉛などの金属製、合成樹脂製、木製などである。本体部１１は、髪留め補助具１０の外形を成すものであるが、その形状は特に限定されず、平面視で円形、楕円形、三角形、四角形、星形など特に限定はされないが、角がなく髪を束ねることができるという観点から図１に示すような円環状などが選択される。
【００２１】
ヒンジ部１２は、一対の本体部１１Ａ，１１Ｂのそれぞれの一端同士を連結する。ヒンジ部１２は、一対の本体部１１Ａ，１１Ｂの一端同士を連結して開閉可能な構造にできるものであれば特に限定はされないが、例えば、巻きバネなどであり、鉄や真鍮などの部材から構成される。これにより、一対の本体部１１Ａ，１１Ｂの一端側は閉じ、他端側は開閉可能な状態となる。ヒンジ部１２は、髪留め補助具を装着する際と外す際に図１の矢印の方向に広げて開状態にする以外は基本的に閉状態となるように髪留め補助具を付勢する。
【００２２】
また、本考案の一実施態様に係る髪留め補助具では、本体部の内側に櫛状部１３が設けられていることが特徴の一つである。櫛状部１３は、髪留め補助具を装着した際に、毛髪の間に挿入され係止する形で固定される。櫛状部１３は、本体部１１と同じ部材であってもよいし異なる部材であってもよい。また、櫛状部１３は、一対の本体部１１Ａ，１１Ｂのそれぞれに形成してもよいし（１３Ａ，１３Ｂ）、いずれか一方のみに形成してもよい（例えば、１３Ａの方にだけ形成してもよい）。櫛状部１３の本数も特に限定はされないが、髪留め補助具１０の大きさからしておよそ２〜５本程度ずつ形成することが好ましい。
【００２３】
図２は、本考案の一実施形態に係る髪留め補助具の使用状況を説明するための一部断面図である。本考案の一実施形態に係る髪留め補助具１０は、図２に示すように、毛髪２０をまずゴム紐２１で束ねて結んだ状態の上から装着する。この時、髪留め補助具１０の本体部１１はゴム紐２１を覆うような形となり、さらに、櫛状部１３が毛髪２０に挿入された状態で係止される。このように簡単に髪留め補助具１０を装着できるため、髪の毛を装飾する際の利便性が向上するとともに、髪留め補助具１０が使用者の毛髪２０及びゴム紐２１の両方に引っ掛かって固定される状態となるため、髪留め補助具１０がゴム紐２１から取れてしまうことはなく、優れた安定性を有する。
【００２４】
このような観点から櫛状部１３は、本体部１１の上部内縁に形成されることが好ましいが、特にこの位置に限定されるわけではない。例えば、本体部１１の中間付近の内縁部に形成してゴム紐２１に挿入するような形式としてもよい、また、本体部１１下部内縁に形成してもよい。あるいは、一対の本体部１１Ａ，１１Ｂでそれぞれ別の位置に形成してもよい。
【００２５】
また、本体部の側面にはキャスト成形による装飾が施されているようにしてもよい。キャスト成形は金型に亜鉛などの金属を注ぎ込んで成形する方法であり、品質が安定するとともに量産にも適している。本体部の側面に装飾を施すことにより、実用性とともに装飾性にも優れた髪留め補助具とすることができる。装飾部分は、本体部の側面に溝状（非貫通）に削って描かれていても良いし、本体部の一部を貫通孔の状態で取り除き、残りの部分を模様として形成しても良い。装飾は、キャスト成形やレーザ加工などの方法で施しても良いし、本体部の側面を削る以外にも、ビーズ、刺しゅう、リボン、宝石等の装飾物を付加するような方法でも良い。このようにすることで、単にゴム紐だけをつけている場合に比べて装飾性を向上させることができる。
【００２６】
なお、上記のように本考案の一実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００２７】
例えば、明細書又は図面において、少なくとも一度、より広義又は同義な異なる用語と共に記載された用語は、明細書又は図面のいかなる箇所においても、その異なる用語に置き換えることができる。また、髪留め補助具の構成、動作も本考案の一実施形態で説明したものに限定されず、種々の変形実施が可能である。
【符号の説明】
【００２８】
１０  髪留め補助具、１１，１１Ａ，１１Ｂ  本体部、１２  ヒンジ部、１３，１３Ａ，１３Ｂ  櫛状部、２０  毛髪、２１  ゴム紐
【図１】
0003222149.tif 000003
【図２】
0003222149.tif 000004